(57)【特許請求の範囲】
【請求項１】
アースドリルのケリーバ先端に着脱可能に装着される拡底バケットを保持する複数の枠材を組んで形成された拡底バケット用スタンドであって、前記拡底バケットの両側方と後方とを前記拡底バケットの全長に亘って囲繞するとともに前記拡底バケットを前記アースドリルに着脱する際の作業足場となる足場部材を上部に備えた前面が開口した平面視コ字状のスタンド本体と、該スタンド本体の下部内側に設けられ、前記拡底バケットの底面及び下部外面を保持する下部保持部材とを備えた拡底バケット用スタンドにおいて、
前記スタンド本体は、左側分割体と右側分割体とを複数のボルトで連結して形成され、前記左側分割体は、拡底バケットの後方左側の一部分及び左側面の後方部分とを囲繞するように、下部左枠体と、上部左枠体と、複数の左側分割体の縦枠材と、下部保持部材連結枠と、右側分割体連結枠とで形成され、前記下部左枠体は、拡底バケットの後方に配置される内外２本の下部後方左枠材と、拡底バケットの左側に配置される下部左枠材と、該下部左枠材と内側の前記下部後方左枠材とを繋ぐ下部補強左枠材とを備え、該下部補強左枠材には前記下部保持部材連結枠が、前記下部後方左枠材の先端部には前記右側分割体連結枠がそれぞれ立設され、前記下部左枠材と外側の前記下部後方左枠材が交差する角部及び前記下部左枠材の先端部に左側分割体の前記縦枠材がそれぞれ立設され、前記上部左枠体は、前記下部左枠体に対応して、拡底バケットの後方に配置される内外２本の上部後方左枠材と、拡底バケットの左側に配置される内外２本の上部左枠材と、前記上部後方左枠材の先端部同士を繋ぐ連結部材と、前記上部左枠材の前端部同士を繋ぐ連結部材とを備え、内側の前記上部左枠材の中央下部には、拡底ブラケット連結部材を揺動可能に取り付ける係止枠が設けられ、前記２本の上部後方左枠材と、該２本の上部後方左枠材の先端部同士を繋ぐ前記連結部材と、前記２本の上部左枠材と、該２本の上部左枠材の前端部同士を繋ぐ前記連結部材とに亘って、前記足場部材のうちの左足場部材が取り付けられ、外側の前記上部後方左枠材と外側の前記上部左枠材とが交差する角部及び外側の前記上部左枠材の先端部に前記縦枠材の上端部がそれぞれ連結され、
前記右側分割体は、拡底バケットの後方左側の残りの部分及び後方右側部分と右側面の後方部分とを囲繞するように、下部右枠体と、上部右枠体と、複数の右側分割体の縦枠材と、下部保持部材連結枠と、左側分割体連結枠とで形成され、前記下部右枠体は、拡底バケットの後方に配置される内外２本の下部後方右枠材と、拡底バケットの右側に配置される下部右枠材と、該下部右枠材と内側の前記下部後方右枠材とを繋ぐ下部補強右枠材とを備え、内側の前記下部後方右枠材と前記下部補強右枠材には前記下部保持部材連結枠が、前記下部後方右枠材の先端部には前記左側分割体連結枠がそれぞれ立設され、前記下部右枠材と外側の前記下部後方右枠材とが交差する角部及び前記下部右枠材の先端部に右側分割体の前記縦枠材がそれぞれ立設され、前記上部右枠体は、前記下部右枠体に対応して、拡底バケットの後方に配置される内外２本の上部後方右枠材と、拡底バケットの右側に配置される内外２本の上部右枠材と、前記上部後方右枠材の先端部同士を繋ぐ連結部材と、前記上部右枠材の前端部同士を繋ぐ連結部材とを備え、内外２本の前記上部後方右枠材と、該上部後方右枠材の先端部同士を繋ぐ連結部材と、２本の前記上部右枠材と、該上部右枠材の前端部同士を繋ぐ前記連結部材とに亘って、前記足場部材のうちの右足場部材が取り付けられ、外側の前記上部後方右枠材と外側の前記上部右枠材とが交差する角部及び外側の前記上部右枠材の先端部に右側分割体の前記縦枠材の上端部が連結され、内側の前記上部右枠材の中央下部には、内側の前記上部左枠材に設けられた係止枠に取り付ける拡底ブラケット連結部材とは別の拡底ブラケット連結部材を揺動可能に取り付ける係止枠が設けられ、
前記下部保持部材は、前記左側分割体の下部補強左枠材に接続される左後方枠材と、前記右側分割体の内側の下部後方右枠材に接続される中央後方枠材と、前記右側分割体の下部補強右枠材に接続される右後方枠材と、前記左後方枠材の先端から前方に突出する左前方枠材と、前記右後方枠材の先端から前方に突出する右前方枠材と、前記左前方枠材と前記右前方枠材とを連結する前枠材とを備えた下枠材によって形成され、前記左後方枠材には、前記左側分割体の下部保持部材連結枠に連結される左側分割体連結枠が、前記中央後方枠材と前記右後方枠材とには、前記右側分割体の下部保持部材連結枠に連結される右側分割体連結枠がそれぞれ立設され、前記左前方枠材と右前方枠材には縦枠がそれぞれ立設され、
前記左側分割体と前記右側分割体とは、内側の前記下部後方左枠材に設けた前記右側分割体連結枠と内側の下部後方右枠材に設けた前記左側分割体連結枠及び外側の前記下部後方左枠材に設けた前記右側分割体連結枠と外側の下部後方右枠材に設けた前記左側分割体連結枠とを、複数のボルトでそれぞれ分割可能に連結して、前記左側分割体と前記右側分割体とにより、前記左足場部材及び前記右足場部材とが拡底バケットの外周側を囲むように配置された前面が開口したコ字状のスタンド本体が形成され、
該スタンド本体の下部に前記下部保持部材を配置して、前記下部補強左枠材に設けた前記下部保持部材連結枠と前記左後方枠材に設けた前記左側分割体連結枠及び前記下部後方右枠材に設けた前記下部保持部材連結枠と前記中央後方枠材に設けた前記右側分割体連結枠並びに前記下部補強右枠材に設けた前記下部保持部材連結枠と前記右後方枠材に設けた前記右側分割体連結枠とを、前記ボルトは別の複数のボルトで前記下部保持部材を前記スタンド本体に分割可能に連結し、
前記拡底バケット用スタンドを輸送する際には、前記スタンド本体と前記下部保持部材とを連結した前記複数のボルトを取り外して、前記下部保持部材を前記スタンド本体から分割し、前記下部保持部材を分割した前記スタンド本体の前記左側分割体と前記右側分割体を連結している前記複数のボルトを取り外すことにより、前記スタンド本体を左側分割体と右側分割体とにそれぞれ分割し、寝かせた状態の前記左側分割体の上部に、前記右側分割体の開口部を前後にずらして被せるように重ね合わせ、前記左側分割体の係止枠の上部に、前記右側分割体の上部右枠材を載置させた状態で、トラックの荷台に載置される構成とした
ことを特徴とする拡底バケット用スタンド。
【請求項２】
前記左側分割体は、拡底バケットの後方左側の約１／３と、左側面の後方約１／２とを囲繞するように形成され、前記右側分割体は、拡底バケットの後方右側の約２／３と、右側面の後方約１／２とを囲繞するように形成されていることを特徴とする請求項１記載の拡底バケット用スタンド。
【請求項３】
前記左側分割体と前記右側分割体の何れか一方をさらに左右に分割可能に形成したことを特徴とする請求項１又は２記載の拡底バケット用スタンド。
【発明の詳細な説明】
【技術分野】
【０００１】
本発明は、拡底バケット用スタンドに関し、詳しくは、アースドリルの先端に着脱可能に装着される拡底バケットを、非使用時に立設状態で保持しておくための拡底バケット用スタンドに関する。
【背景技術】
【０００２】
アースドリルによって拡底孔を掘削する際には、まず、ケリーバの先端に掘削バケットを装着して所定深さの縦穴を掘削した後、掘削バケットを拡底バケットに交換して穴底部をテーパー状に拡底するという手順で行われている。したがって、掘削作業の進行に伴ってケリーバ先端に装着する掘削具を掘削バケットと拡底バケットとに交換する必要があり、非装着時の掘削バケットや拡底バケットは、適宜なスタンドによって保持した状態で保管するようにしている。この拡底バケット用スタンドとして、拡底バケットの両側方と後方とを前記拡底バケットの全長に亘って囲繞すると共に、拡底バケットをアースドリルに着脱する際の作業足場となる足場部材を上部に備えたスタンド本体と、該スタンド本体の下部内側に設けられ、拡底バケットの底面及び下部外面を保持する下部保持部材とを備えたものがある（例えば、特許文献１参照。）。
【先行技術文献】
【特許文献】
【０００３】
【特許文献１】特開２０１０−３１６３３号公報
【発明の概要】
【発明が解決しようとする課題】
【０００４】
上述の特許文献に記載された拡底バケット用スタンドは、輸送の際には寝かせた状態でトラックに載置されるが、輸送制限ぎりぎりの大型の拡底バケットに用いられる拡底バケット用スタンドでは、拡底バケットを囲繞する枠材や足場が輸送制限を超えるため、そのままではトラックで輸送することができなかった。
【０００５】
そこで本発明は、輸送時に分割可能で、輸送制限内に納めることができる拡底バケット用スタンドを提供することを目的としている。
【課題を解決するための手段】
【０００６】
上記目的を達成するため、本発明の拡底バケット用スタンドは、アースドリルのケリーバ先端に着脱可能に装着される拡底バケットを保持する拡底バケット用スタンドであって、前記拡底バケットの両側方と後方とを前記拡底バケットの全長に亘って囲繞すると共に、上部に、前記拡底バケットを前記アースドリルに着脱する際の作業足場となる足場部材を備えたスタンド本体と、該スタンド本体の下部内側に設けられ、前記拡底バケットの底面及び下部外面を保持する下部保持部材とを備えた拡底バケット用スタンドにおいて、前記下部保持部材を前記スタンド本体から分割可能に形成すると共に、前記スタンド本体を左側分割体と右側分割体とに分割可能に形成したことを特徴とし、トラック輸送時には、前記拡底バケット用スタンドを、前記下部保持部材と前記左側分割体と前記右側分割体とに分割し、前記左側分割体と前記右側分割体とを、寝かせて重ねた状態でトラックに載置すると良い。また、前記左側分割体と前記右側分割体の何れか一方をさらに左右に分割可能に形成することもできる。
【発明の効果】
【０００７】
本発明の拡底バケット用スタンドによれば、輸送する際に、下部枠体と左右の分割体とに３分割することができることから、大型の拡底バケット用のスタンドであっても、輸送制限内に納めてトラックで輸送することができる。
【図面の簡単な説明】
【０００８】
【図１】本発明の第１形態例を示す拡底バケット用スタンドの正面図である。
【図２】同じく拡底バケット用スタンドの右側面図である。
【図３】同じく拡底バケット用スタンドの平面図である。
【図４】図１のIV-IV断面図である。
【図５】左側分割体を吊り上げる際の側面図である。
【図６】左側分割体と右側分割体とを寝かせた状態の正面図である。
【図７】拡底バケットを輸送する際の側面図である。
【図８】同じく拡底バケットを輸送する際の背面図である。
【図９】本発明の第２形態例を示す拡底バケット用スタンドを分割して寝かせた状態の正面図である。
【発明を実施するための形態】
【０００９】
図１乃至図８は本発明の拡底バケット用スタンドの第１形態例を示す図である。この拡底バケット用スタンド１１は、アースドリルのケリーバ先端に着脱可能に装着される拡底バケットを保管するスタンドで、複数の枠材を組んで形成され、拡底バケットの両側方と後方とを拡底バケットの全長に亘って囲繞すると共に、上部に、拡底バケットをケリーバに着脱する際の作業足場を備え、前面が開口したコ字状のスタンド本体１２と、該スタンド本体１２の下部内側に設けられ、拡底バケットの底面及び下部外面を保持する下部保持部材１３とを備えている。また、スタンド本体１２は、左側分割体３１と、右側分割体４１とを複数のボルト５１で連結することにより形成されている。
【００１０】
左側分割体３１は、拡底バケットの後方左側の約１／３と、左側面の後方約１／２とを囲繞するように形成され、下部左枠体３２と上部左枠体３３と、上下両枠体３２，３３に上下両端部がそれぞれ接合された複数の縦枠材３４と、下部保持部材１３に連結される下部保持部材連結枠３５と、右側分割体４１に連結される右側分割体連結枠３６とを備えている。
【００１１】
下部左枠体３２は、拡底バケットの後方に、内外に平行に配置される２本の下部後方左枠材３２ａ，３２ｂと、拡底バケットの左側方に配置される下部左枠材３２ｃと、該下部左枠材３２ｃと内側の下部後方左枠材３２ａとを繋ぐ下部補強左枠材３２ｄと、下部後方左枠材３２ａ，３２ｂの先端部を繋ぐ連結部材３２ｅとを備えている。また、下部補強左枠材３２ｄには、前記下部保持部材連結枠３５が、下部後方左枠材３２ａ，３２ｂの先端部には、前記右側分割体連結枠３６，３６がそれぞれ立設され、下部左枠材３２ｃと外側の下部後方左枠材３２ｂが交差する角部と、下部左枠材３２ｃの先端部とには、前記縦枠材３４，３４がそれぞれ立設されている。
【００１２】
上部左枠体３３は、下部左枠体３２に対応して、拡底バケットの後方に、内外に平行に配置される２本の上部後方左枠材３３ａ，３３ｂと、拡底バケットの左側方に、内外に平行に配置される２本の上部左枠材３３ｃ，３３ｄと、上部後方左枠材３３ａ，３３ｂの先端部同士を繋ぐ連結部材３３ｅと、上部左枠材３３ｃ，３３ｄの前端部同士を繋ぐ連結部材３３ｆとを備え、上部後方左枠材３３ａ，３３ｂと連結部材３３ｅと上部左枠材３３ｃ，３３ｄと連結部材３３ｆとに亘って、金網状部材により形成された左足場部材３７が取り付けられている。また、外側の上部後方左枠材３３ｂと外側の上部左枠材３３ｄとが交差する角部と、上部左枠材３３ｄの先端部に、縦枠材３４，３４の上端部が連結される。さらに、上部左枠材３３ｃの中央下部には、係止枠３３ｇが設けられ、該係止枠３３ｇに、先端にフック３８ａを備えた拡底バケット連結部材３８がピンを介して揺動可能に取り付けられている。さらに、上部左枠体３３及び縦枠材３４の所定位置には、複数の吊り金具３９が設けられている。
【００１３】
右側分割体４１は、拡底バケットの後方右側の約２／３と、右側面の後方約１／２とを囲繞するように形成され、左側分割体３１と同様に、下部右枠体４２と上部右枠体４３と、上下両枠体４２，４３に上下両側部がそれぞれ接合された複数の縦枠材４４と、下部保持部材１３に連結される下部保持部材連結枠４５，４５と、左側分割体３１に連結される左側分割体連結枠４６，４６とを備えている。
【００１４】
下部右枠体４２は、拡底バケットの後方に、内外に平行に配置される２本の下部後方右枠材４２ａ，４２ｂと、拡底バケットの右側方に配置される下部右枠材４２ｃと、該下部右枠材４２ｃと内側の下部後方右枠材４２ａとを繋ぐ下部補強右枠材４２ｄと、下部後方右枠材４２ａ，４２ｂの先端部を繋ぐ連結部材４２ｅとを備えている。また、内側の下部後方右枠材４２ａと下部補強右枠材４２ｄには、前記下部保持部材連結枠４５，４５が、下部後方右枠材４２ａ，４２ｂの先端部には、前記左側分割体連結枠４６，４６がそれぞれ立設され、下部右枠材４２ｃと外側の下部後方右枠材４２ｂが交差する角部と、下部右枠材４２ｃの先端部とには、前記縦枠材４４，４４がそれぞれ立設されている。
【００１５】
上部右枠体４３は、下部右枠体４２に対応して、拡底バケットの後方に、内外に平行に配置される２本の上部後方右枠材４３ａ，４３ｂと、拡底バケットの右側方に、内外に平行に配置される２本の上部右枠材４３ｃ，４３ｄと、上部後方右枠材４３ａ，４３ｂの先端部同士を繋ぐ連結部材４３ｅと、上部右枠材４３ｃ，４３ｄの前端部同士を繋ぐ連結部材４３ｆとを備え、上部後方右枠材４３ａ，４３ｂと連結部材４３ｅと上部右枠材４３ｃ，４３ｄと連結部材４３ｆとに亘って、金網状部材により形成された右足場部材４７が取り付けられている。また、外側の上部後方右枠材４３ｂと外側の上部右枠材４３ｄとが交差する角部と、上部右枠材４３ｄの先端部に、縦枠材４４，４４の上端部が連結される。さらに、上部右枠材４３ｃの中央下部には、係止枠４３ｇが設けられ、該係止枠４３ｇに、先端にフック４８ａを備えた拡底バケット連結部材４８がピンを介して揺動可能に取り付けられている。さらに、上部右枠体４３及び縦枠材４４の所定位置には、複数の吊り金具４９が設けられている。
【００１６】
下部保持部材１３は、左側分割体３１の下部補強左枠材３２ｄに接続される左後方枠材１４ａと、右側分割体４１の内側の下部後方右枠材４２ａに接続される中央後方枠材１４ｂと、右側分割体４１の下部補強右枠材４２ｄに接続される右後方枠材１４ｃと、左後方枠材１４ａの先端から前方に突出する左前方枠材１４ｄと、右後方枠材１４ｃの先端から前方に突出する右前方枠材１４ｅと、左前方枠材１４ｄと右前方枠材１４ｅとを連結する前枠材１４ｆとを備えた６角形状の下枠材によって形成されている。また、左前方枠材１４ｄと前枠材１４ｆの間には、補強部材１４ｇが、右前方枠材１４ｅと前枠材１４ｆとの間には補強部材１４ｈとがそれぞれ設けられ、補強部材１４ｇ，１４ｈ，左後方枠材１４ａ，中央後方枠材１４ｂ，右後方枠材１４ｃ，左前方枠材１４ｄ，右前方枠材１４ｅ，前枠材１４ｆとが８角形状に連結している。さらに、左後方枠材１４ａには、左側分割体３１の下部保持部材連結枠３５に連結される左側分割体連結枠１５が、中央後方枠材１４ｂと右後方枠材１４ｃとには、右側分割体４１の下部保持部材連結枠４５，４５に連結される右側分割体連結枠１６，１６がそれぞれ立設され、左前方枠材１４ｄと右前方枠材１４ｅには、縦枠１７，１７がそれぞれ立設されている。
【００１７】
左後方枠材１４ａ，右後方枠材１４ｃ，補強部材１４ｇ，１４ｈの内側には、拡底バケットの下端部を載置する４角形状の下端部保持部材１８が、左分割体連結枠１５，右分割体連結枠１６，補強材１９ａ，１９ａに、下面から浮いた状態で取り付けられている。下端部保持部材１８の上部には、拡底バケットの下部外面を保持する円形の下部外面保持部材１９が、縦枠１７，１７，左側分割体連結枠１５，右側分割体連結枠１６，１６に接続して設けられ、下部外面保持部材１９の外周側には複数の補強材１９ａ，１９ｂが取り付けられている。さらに、下部外面保持部材１９の上部には、縦枠１７，１７と左側分割体連結枠１５と右側分割体連結枠１６，１６とに接続して、拡底バケットの下部外面の後方を保持する半円状の外面保持部材２０が設けられると共に、外面保持部材２０に連続する円弧状の扉部材２１，２１が縦枠１７，１７に連結されている。扉部材２１，２１は、基部がヒンジ２１ａを介して前記縦枠１７，１７に回動可能に連結され、各扉部材２１，２１の先端部には、扉部材２１，２１の閉状態で上下方向に重なる連結管２１ｂがそれぞれ設けられ、上下に重なった連結管２１ｂにピン２１ｃを挿通することにより、扉部材２１，２１の閉状態が確保される。また、扉部材２１，２１を閉状態とした時に外面保持部材２０と扉部材２１，２１とで形成される内径が、拡底バケットの下部の外径より僅かに大きく設定された円形状に形成され、保持した拡底バケットの下部が前後左右に移動するのを防止している。
【００１８】
上述のように形成された左側分割体３１と右側分割体４１とは、下部後方左枠材３２ａに設けた右側分割体連結枠３６と下部後方右枠材４２ａに設けた左側分割体連結枠４６とが、また、下部後方左枠材３２ｂに設けた右側分割体連結枠３６と下部後方右枠材４２ｂに設けた左側分割体連結枠４６とが、複数のボルト５１でそれぞれ連結されることにより、前面が開口したコ字状のスタンド本体１２が形成される。スタンド本体１２の下部には、下部保持部材１３が配置され、下部補強左枠材３２ｄに設けた下部保持部材連結枠３５と、左後方枠材１４ａに設けた左側分割体連結枠１５とを複数のボルト５１でそれぞれ連結し、下部後方右枠材４２ａに設けた下部保持部材連結枠４５と、中央後方枠材１４ｂに設けた右側分割体連結枠１６とを複数のボルト５１でそれぞれ連結し、下部補強右枠材４２ｄに設けた下部保持部材連結枠４５と、右後方枠材１４ｃに設けた右側分割体連結枠１６とを複数のボルト５１でそれぞれ連結することにより、スタンド本体１２と下部保持部材１３とが連結される。これにより、スタンド本体１２よりも前方に扉部材２１，２１が配置される。また、左足場部材３７と右足場部材４７とは、拡底バケットの外周側を囲むように配置され、左足場部材３７の左側縁部に長尺の手摺り部材５２ａと短尺の手摺り部材５２ｂが、右足場部材４７の右側縁部に長尺の手摺り部材５２ａと短尺の手摺り部材５２ｂが、左足場部材３７の後縁部と右足場部材４７の後縁部に亘って長尺の手摺り部材５２ｃがそれぞれ垂直方向に立設されている。さらに、右側分割体４１の右側には、両足場部材３７，４７に昇降する際に使用する昇降用梯子５３が縦枠材４４に沿って一体的に設けられる。
【００１９】
このように組み立てられた拡底バケット用スタンド１１は、複数の吊り金具３９，４９を介して吊り上げられて、作業現場の所定位置に配置される。拡底バケットは、立設した拡底バケット用スタンド１１の扉部材２１，２１を開いて、下部保持部材１３の内側に挿入され、下端部保持部材１８に下端部を当接させ、下部外面保持部材１９に下部外面を、外面保持部材２０に下部後方をそれぞれ保持させ、扉部材２１，２１を閉じて連結管２１ｂ，２１ｂにピン２１ｃを挿入することにより、拡底バケットの下部が下部保持部材１３に保持される。この状態で、両足場部材３７，４７に載った作業員により、アースドリルのケリーバに拡底バケットを着脱する作業や、油圧配管の着脱作業が行われる。
【００２０】
拡底バケット用スタンド１１を輸送する際には、まず、図５に示されるように、スタンド本体１２の各連結枠３５，４５と、下部保持部材１３の各連結枠１６とをそれぞれ連結した複数のボルト５１を取り外し、上部の吊金具４９を介してスタンド本体１２を吊り上げてスタンド本体１２と下部保持部材１３とを分割する。さらに、下部保持部材１３から分離したスタンド本体１２を、各吊金具３９，４９を介して吊り上げ、スタンド本体１２を立設状態から寝かせた状態とし、各足場部材３７，４７から長尺の手摺り部材５２ａ，５２ｃを取り外す。次いで、図６に示されるように、各連結枠３６、４６を連結した複数のボルト５１を取り外すことにより、スタンド本体１２を左側分割体３１と右側分割体４１とにそれぞれ分割する。
【００２１】
スタンド本体１２から分割された下部保持部材１３は、クレーンで吊り上げられてトラック６１の荷台の前方に載置される。また、分割された左側分割体３１と右側分割体４１とは、吊り金具３９（４９）を介してそれぞれ吊り上げられ、図７及び図８に示されるように、寝かせた左側分割体３１の上部に、右側分割体４１の開口部を、前後にずらして被せるように重ね合わせ、左側分割体３１の係止枠３３ｇの上部に、右側分割体４１の上部右枠材４３ｃを載置させた状態で、トラック６１の荷台の後方に載置される。これにより、輸送制限ぎりぎりの大型の拡底バケットに用いられる拡底バケット用スタンドであっても、輸送制限を超えることがなく、トラック６１で良好に輸送することができる。
【００２２】
尚、拡底バケットと拡底バケット用スタンド１１とは、前述の特許文献１と同様に、拡底バケット連結部材４８のフック４８ａを用いて、適宜連結される。
【００２３】
図９は、本発明の第２形態例を示すもので、第１形態例と同様の構成要素を示すものには、同一の符号をそれぞれ付して、その詳細な説明は省略する。本形態例では、スタンド本体１２の右側分割体４１を、拡底バケットの後方に配置される第１右側分割体４１ａと、拡底バケットの右側方に配置される第２右側分割体４１ｂとに、さらに左右に分割可能に形成し、右足場部材も、第１右足場部材４７ａと第２右足場部材４７ｂとに分割して形成される。また、第１右側分割体４１ａと第２右側分割体４１ｂとの連結部には、左側分割体３１と右側分割体４１との連結部と同様に、第１右側分割体４１ａと第２右側分割体４１ｂとに設けた連結枠を連結することにより連結される。
【００２４】
尚、本発明の拡底バケット用スタンドは、上述の各形態例に限るものではなく、スタンド本体が左右に分割可能であれば、スタンド本体や下部保持部材の構造は任意である。また、スタンド本体の分割位置も任意であり、左側分割体をさらに左右に分割可能に形成することもできる。
【符号の説明】
【００２５】
１１…拡底バケット用スタンド、１２…スタンド本体、１３…下部保持部材、１４ａ…左後方枠材、１４ｂ…中央後方枠材、１４ｃ…右後方枠材、１４ｄ…左前方枠材、１４ｅ…右前方枠材、１４ｆ…前枠材、１４ｇ，１４ｈ…補強部材、１５…左側分割体連結枠、１６…右側分割体連結枠、１７…縦枠、１８…下端部保持部材、１９…下部外面保持部材、１９ａ，１９ｂ…補強材、２０…外面保持部材、２１…扉部材、２１ａ…ヒンジ、２１ｂ…連結管、２１ｃ…ピン、３１…左側分割体、３２…下部左枠体、３２ａ，３２ｂ…下部後方左枠材、３２ｃ…下部左枠材、３２ｄ…下部補強左枠材、３２ｅ…連結部材、３３…上部左枠体、３３ａ，３３ｂ…上部後方左枠材、３３ｃ，３３ｄ…上部左枠材、３３ｅ，３３ｆ…連結部材、３３ｇ…係止枠、３４…縦枠材、３５…下部保持部材連結枠、３６…右側分割体連結枠、３７…足場部材、３８…拡底バケット連結部材、３８ａ…フック、３９…吊り金具、４１…右側分割体、４２…下部右枠体、４２ａ，４２ｂ…下部後方右枠材、４２ｃ…下部右枠材、４２ｄ…下部補強右枠材、４２ｅ…連結部材、４３…上部右枠体、４３ａ，４３ｂ…上部後方右枠材、４３ｃ，４３ｄ…上部右枠材、４３ｅ，４３ｆ…連結部材、４３ｇ…係止枠、４４…縦枠材、４５…下部保持部材連結枠、４６…左側分割体連結枠、４７…右足場部材、４８…拡底バケット連結部材、４８ａ…フック、４９…吊り金具、５２ａ，５２ｂ，５２ｃ…手摺り部材、５３…昇降用梯子、６１…トラック、７１…右分割体、７２…第１右分割体、７３…第２右分割体、７４…第１右足場部材、７５…第２右足場部材
【図１】
0005762174.tif 000002
【図２】
0005762174.tif 000003
【図３】
0005762174.tif 000004
【図４】
0005762174.tif 000005
【図５】
0005762174.tif 000006
【図６】
0005762174.tif 000007
【図７】
0005762174.tif 000008
【図８】
0005762174.tif 000009
【図９】
0005762174.tif 000010